(57)【要約】【課題】簡単な操作により、複数の選択項目を組み合わせることが可能な携帯情報端末を提供する。【解決手段】この携帯情報端末１００は、描画画面１１０を表示する表示部１１と、表示部１１に表示され、入力候補の絵柄パーツ５を表示する選択リスト領域１１２と、選択された絵柄パーツ５を表示する選択反映領域１１３とを含む描画画面１１０においてユーザによる操作を受け付けるタッチパネル１０と、選択リスト領域１１２から選択反映領域１１３に向く第１方向に、絵柄パーツ５にユーザが触れた状態で行う単一の第１操作に基づいて、選択リスト領域１１２に表示される絵柄パーツ５を、選択反映領域１１３に移動させる第１制御と、第１方向とは逆の第２方向に、絵柄パーツ５にユーザが触れた状態で行う単一の第２操作に基づいて、絵柄パーツ５を、再び選択リスト領域１１２に戻す第２制御とを行う制御部２とを備える。【選択図】図４
2015011681.tif 000002
【特許請求の範囲】
【請求項１】
入力画面を表示する表示部と、
前記表示部に表示され、入力候補の選択項目を表示する選択リスト領域と、選択された前記選択項目を表示する選択反映領域とを含む前記入力画面において複数の前記選択項目を組み合わせて所定の対象物を完成させる際のユーザによる操作を受け付けるタッチパネルと、
前記選択リスト領域から前記選択反映領域に向く第１方向に向けて、前記選択項目にユーザが触れた状態で行う単一の第１操作に基づいて、前記選択リスト領域に表示される前記選択項目を、前記選択反映領域に移動させる第１制御と、前記第１方向とは逆方向の第２方向に向けて、前記選択項目にユーザが触れた状態で行う単一の第２操作に基づいて、前記選択リスト領域から前記選択反映領域に移動された前記選択項目を、再び前記選択リスト領域に戻す第２制御とを行う制御部とを備えた、携帯情報端末。
【請求項２】
前記制御部は、前記選択リスト領域に表示された前記選択項目にユーザが触れた状態で前記第２方向に向けて行う単一の第３操作に基づいて、前記選択リスト領域に表示される前記選択項目を、前記選択リスト領域から削除する第３制御を行うように構成されている、請求項１に記載の携帯情報端末。
【請求項３】
前記制御部は、前記第１制御により前記選択項目が移動された場合には、前記移動された前記選択項目が表示されていた部分を埋めるように前記移動された前記選択項目とは別の前記選択項目を表示する制御を行うように構成されている、請求項１または２に記載の携帯情報端末。
【請求項４】
前記第１操作および前記第２操作は、フリック動作、ドラッグ動作およびスワイプ動作のいずれかにより行われるように構成されている、請求項１〜３のいずれか１項に記載の携帯情報端末。
【請求項５】
前記第３操作は、フリック動作、ドラッグ動作およびスワイプ動作のいずれかにより行われるように構成されている、請求項２に記載の携帯情報端末。
【請求項６】
前記選択リスト領域は、自動的にスクロールされるように構成されている、請求項１〜５のいずれか１項に記載の携帯情報端末。
【請求項７】
前記選択リスト領域に表示された前記選択項目の色彩および大きさを変更可能に構成されており、
前記色彩および大きさが変更された前記選択項目は、ユーザによる前記第１操作に基づいて、前記色彩および大きさが変更された状態で前記選択リスト領域から前記選択反映領域に移動されるように構成されている、請求項１〜６のいずれか１項に記載の携帯情報端末。
【請求項８】
複数の前記選択項目からなる選択項目集合体を前記選択項目ごとに分解して、分解した複数の前記選択項目を前記選択リスト領域に追加することが可能に構成されている、請求項７に記載の携帯情報端末。
【請求項９】
前記選択項目は、絵柄パーツを含み、
前記制御部は、前記第１操作に基づく前記第１制御および前記第２操作に基づく前記第２制御により、前記絵柄パーツを組み合わせて前記所定の対象物としての１つの絵を作成するように構成されている、請求項１〜８のいずれか１項に記載の携帯情報端末。
【請求項１０】
前記選択項目は、文字を含み、
前記制御部は、前記第１操作に基づく前記第１制御および前記第２操作に基づく前記第２制御により、前記文字を組み合わせて前記所定の対象物としての１つの文章を作成するように構成されている、請求項１〜８のいずれか１項に記載の携帯情報端末。
【発明の詳細な説明】
【技術分野】
【０００１】
この発明は、携帯情報端末に関し、特に、タッチパネルを備える携帯情報端末に関する
携帯情報端末に関する。
【背景技術】
【０００２】
従来、タッチパネルを備える携帯情報端末が知られている（たとえば、特許文献１参照）。
【０００３】
上記特許文献１には、複数のサムネイル（選択項目）を一覧で表示する表示画面（表示部）と、タッチ入力を受け付けるタッチパネルとを備えた電子機器（携帯情報端末）が開示されている。この電子機器は、ユーザがスライド操作をした際に、表示画面に表示された複数のサムネイルのうち、スライド操作の経路上にあるサムネイルが選択されるように構成されている。また、サムネイルが選択された後に、ＯＫのサムネイルを選択することにより選択されたサムネイルを決定するように構成されている。
【０００４】
また、従来から、絵や文章を作成する際に、絵や文章の構成要素となる選択項目の表示領域（選択リスト領域）と、選択された選択項目が組み合される表示領域（選択反映領域）とを表示部に表示する携帯情報端末が知られている。このような従来の携帯情報端末においても、選択項目が選択された後に、別途何らかの手段により選択を決定するように構成されていると考えられる。
【先行技術文献】
【特許文献】
【０００５】
【特許文献１】特開２０１２−２３０５２７号公報
【発明の概要】
【発明が解決しようとする課題】
【０００６】
しかしながら、従来の携帯情報端末では、選択項目が選択された後に、別途何らかの手段により選択を決定する必要があり、その結果、複数の選択項目を組み合わせるために、選択項目を選択する毎に選択を決定する動作が必要になり、操作性が悪くなるという問題点がある。
【０００７】
この発明は、上記のような課題を解決するためになされたものであり、この発明の１つの目的は、簡単な操作により、複数の選択項目を組み合わせることが可能な携帯情報端末を提供することである。
【課題を解決するための手段】
【０００８】
この発明の一の局面による携帯情報端末は、入力画面を表示する表示部と、表示部に表示され、入力候補の選択項目を表示する選択リスト領域と、選択された選択項目を表示する選択反映領域とを含む入力画面において複数の前記選択項目を組み合わせて所定の対象物を完成させる際のユーザによる操作を受け付けるタッチパネルと、選択リスト領域から選択反映領域に向く第１方向に向けて、選択項目にユーザが触れた状態で行う単一の第１操作に基づいて、選択リスト領域に表示される選択項目を、選択反映領域に移動させる第１制御と、第１方向とは逆方向の第２方向に向けて、選択項目にユーザが触れた状態で行う単一の第２操作に基づいて、選択リスト領域から選択反映領域に移動された選択項目を、再び選択リスト領域に戻す第２制御とを行う制御部とを備えている。
【０００９】
この発明の一の局面による携帯情報端末では、上記のように、選択リスト領域から選択反映領域に向く第１方向に向けて、選択項目にユーザが触れた状態で行う単一の第１操作に基づいて、選択リスト領域に表示される選択項目を、選択反映領域に移動させる第１制御と、第１方向とは逆方向の第２方向に向けて、選択項目にユーザが触れた状態で行う単一の第２操作に基づいて、選択リスト領域から選択反映領域に移動された選択項目を、再び選択リスト領域に戻す第２制御とを行う制御部を設ける。これにより、単一の操作により選択リスト領域から選択反映領域に選択項目を移動させることができるので、簡単な操作により、複数の選択項目を組み合わせることができる。その結果、容易に複数の選択項目からなる絵や文章などを作成することができる。また、選択リスト領域に表示される選択項目を、選択反映領域に移動させるだけでなく選択反映領域から選択リスト領域に選択項目を戻すこともできるので、選択リスト領域と選択反映領域との間で選択項目を繰り返し移動させることができる。したがって、意図しない選択項目を誤って選択反映領域に移動させた場合であっても、選択項目を再び選択リスト領域に簡単な操作により戻すことができるので、意図しない選択項目が誤って移動されやすい小型のタッチパネルを用いた場合であっても、携帯情報端末の操作性を向上させることができる。
【００１０】
上記一の局面による携帯情報端末において、好ましくは、制御部は、選択リスト領域に表示された選択項目にユーザが触れた状態で第２方向に向けて行う単一の第３操作に基づいて、選択リスト領域に表示される選択項目を、選択リスト領域から削除する第３制御を行うように構成されている。このように構成すれば、ユーザが必要としない選択項目を単一の第３操作により選択リスト領域から容易に削除することができるとともに、ユーザが必要とする選択項目のみを選択リスト領域に表示することができる。
【００１１】
上記一の局面による携帯情報端末において、好ましくは、制御部は、第１制御により選択項目が移動された場合には、移動された選択項目が表示されていた部分を埋めるように移動された選択項目とは別の選択項目を表示する制御を行うように構成されている。このように構成すれば、移動された選択項目が表示されていた部分が空いた状態となることがないので、選択項目が表示される限られた領域を有効に利用して、ユーザに多くの選択項目を提示することができる。
【００１２】
上記一の局面による携帯情報端末において、好ましくは、第１操作および第２操作は、フリック動作、ドラッグ動作およびスワイプ動作のいずれかにより行われるように構成されている。このように構成すれば、ユーザは、タッチパネルに対する直感的かつ簡単な動作により第１操作および第２操作を行うことができる。
【００１３】
上記制御部が第３操作に基づいて第３制御を行う構成において、好ましくは、第３操作は、フリック動作、ドラッグ動作およびスワイプ動作のいずれかにより行われるように構成されている。このように構成すれば、ユーザは、タッチパネルに対する直感的かつ簡単な動作により第３操作を行うことができる。
【００１４】
上記一の局面による携帯情報端末において、好ましくは、選択リスト領域は、自動的にスクロールされるように構成されている。このように構成すれば、ユーザがスクロール操作をしなくても、表示部に表示されない選択リスト領域の一部の選択項目を参照することができるので、携帯情報端末の操作性をより向上させることができる。
【００１５】
上記一の局面による携帯情報端末において、好ましくは、選択リスト領域に表示された選択項目の色彩および大きさを変更可能に構成されており、色彩および大きさが変更された選択項目は、ユーザによる第１操作に基づいて、色彩および大きさが変更された状態で選択リスト領域から選択反映領域に移動されるように構成されている。このように構成すれば、選択リスト領域の選択項目に色彩および大きさの変更を加えて、選択反映領域において組み合わせることができるので、選択反映領域で組み合される選択項目集合体（たとえば絵や文章）の色彩および大きさを、選択項目単位で変更させることができる。
【００１６】
この場合、好ましくは、複数の選択項目からなる選択項目集合体を選択項目ごとに分解して、分解した複数の選択項目を選択リスト領域に追加することが可能に構成されている。このように構成すれば、選択項目集合体の中でユーザが不要と判断する選択項目を削除することができるとともに、選択リスト領域において、選択項目集合体の構成要素である選択項目単位で色彩や大きさを変更させて、選択反映領域に移動させることにより、形態が変化した選択項目集合体を作成することができるので、選択項目集合体をユーザが望む形態に容易に変更させることができる。
【００１７】
上記一の局面による携帯情報端末において、好ましくは、選択項目は、絵柄パーツを含み、制御部は、第１操作に基づく第１制御および第２操作に基づく第２制御により、絵柄パーツを組み合わせて前記所定の対象物としての１つの絵を作成するように構成されている。このように構成すれば、簡単な操作により、複数の絵柄パーツを組み合わせることによって、絵を作成することができる。
【００１８】
上記一の局面による携帯情報端末において、好ましくは、選択項目は、文字を含み、制御部は、第１操作に基づく第１制御および第２操作に基づく第２制御により、文字を組み合わせて前記所定の対象物としての１つの文章を作成するように構成されている。このように構成すれば、簡単な操作により、複数の文字を組み合わせることによって、文章を作成することができる。
【発明の効果】
【００１９】
本発明によれば、上記のように、簡単な操作により、複数の選択項目を組み合わせることが可能な携帯情報端末を提供することができる。
【図面の簡単な説明】
【００２０】
【図１】本発明の第１実施形態による携帯情報端末の全体構成を示したブロック図である。
【図２】本発明の第１実施形態による携帯情報端末を示した平面図である。
【図３】本発明の第１実施形態による携帯情報端末による絵を分解する操作を説明するための図である。
【図４】本発明の第１実施形態による携帯情報端末による選択リスト領域から選択反映領域に絵柄パーツを移動する操作を説明するための図である。
【図５】本発明の第１実施形態による携帯情報端末による選択反映領域から選択リスト領域に絵柄パーツを移動する操作を説明するための図である。
【図６】本発明の第１実施形態による携帯情報端末による選択リスト領域から絵柄パーツを削除する操作を説明するための図である。
【図７】本発明の第１実施形態による携帯情報端末による自動的なスクロールを説明するための図である。
【図８】本発明の第１実施形態による携帯情報端末による絵柄パーツの拡大について説明するための図である。
【図９】本発明の第２実施形態による携帯情報端末による選択リスト領域から選択反映領域に文字を移動する操作を説明するための図である。
【図１０】本発明の第２実施形態による携帯情報端末による選択リスト領域から文字を削除する操作を説明するための図である。
【発明を実施するための形態】
【００２１】
以下、本発明を具体化した実施形態を図面に基づいて説明する。
【００２２】
（第１実施形態）
図１〜図８を参照して、本発明の第１実施形態による携帯情報端末１００の構成を説明する。
【００２３】
本発明の第１実施形態による携帯情報端末１００は、図１に示すように、タッチパネル部１と、タッチパネル部１に接続される制御部２と、記憶部３とを備えている。
【００２４】
また、このタッチパネル部１は、図１および図２に示すように、タッチペンやユーザの指１２などを用いて入力操作された内容を受け付けるタッチパネル１０と、タッチパネル１０の下面側（携帯情報端末１００の内部側）に配置され、液晶パネルなどからなる表示部１１とを含んでいる。また、携帯情報端末１００は、絵４を作成するためのアプリケーションを用いて、表示部１１に表示される絵４の構成要素である絵柄パーツ５に対して、ユーザの所定の操作により所望の編集を行うことが可能なように構成されている。なお、絵４は、それぞれが独立した複数の絵柄パーツ５から構成されている。このため、絵４は、絵柄パーツ５に分解することが可能なように構成されている。また、各絵柄パーツ５は、絵４の中で決められた所定の位置に配置されるように構成されている。なお、絵４は、本発明の「選択項目集合体」および「所定の対象物」の一例である。また、絵柄パーツ５は、本発明の「選択項目」の一例である。
【００２５】
タッチパネル１０は、図２に示すように、矩形の平板状に形成された携帯情報端末１００の一方の面１０１の略全域に設けられている。また、タッチパネル１０は、入力操作時の抵抗値の変化によって入力操作されたことが検知される抵抗膜式や、入力操作時の静電容量の変化によって入力操作されたことが検知される静電容量式などの方式により構成されている。
【００２６】
表示部１１は、図２に示すように、アプリケーションＡを起動すると、絵４を所定の描画画面１１０に表示するように構成されている。なお、図２に示す場合では、描画画面１１０は、表示部１１の全域に対応している。また、表示部１１は、図２および図３に示すように、ユーザによる所定の操作により特定された描画画面１１０上の絵４の一部または全てを絵４の構成要素である絵柄パーツ５に分解するとともに、分解された絵柄パーツ５を、絵４の編集を行うためのウインドウ１１１に表示するように構成されている。このウインドウ１１１は、絵４を分解する所定の操作により、描画画面１１０の一部に表示されるように構成されている。詳細には、ウインドウ１１１は、描画画面１１０に表示される絵４を分解することにより得られる絵柄パーツ５を並べて表示する選択リスト領域１１２と、選択リスト領域１１２の絵柄パーツ５を選択して組み合わせることにより、新たな絵４を作成する選択反映領域１１３とから構成されている。また、表示部１１は、選択リスト領域１１２をウインドウ１１１のＸ１方向側に表示するとともに、選択反映領域１１３をウインドウ１１１のＸ２方向側に表示するように構成されている。なお、描画画面１１０に表示された絵４の分解、および、ウインドウ１１１における新たな絵４の作成の詳細については後述する。また、描画画面１１０は、本発明の「入力画面」の一例である。
【００２７】
また、選択リスト領域１１２は、図７に示すように、上下方向（Ｙ方向）に沿って複数の絵柄パーツ５が並ぶように配置されているとともに、自動的に上方向（Ｙ１方向）にスクロールされるように構成されている。そのため、表示部１１は、ウインドウ１１１に表示されている家、人、ドアおよび草を示す絵柄パーツ５に代えて、ウインドウ１１１に表示されていない太陽、雲およびポストを示す絵柄パーツ５（２点鎖線で示す絵柄パーツ５）を順に表示するように構成されている。また、選択リスト領域１１２は、スクロール操作部１１４をユーザが操作することにより、上記の自動的なスクロールよりも速い速度でスクロールされるように構成されている。
【００２８】
制御部２は、携帯情報端末１００の各部を制御するように構成されている。また、制御部２は、ユーザによるタッチパネル１０の操作に基づく入力信号を受信するように構成されている。また、制御部２は、タッチパネル１０から受信した入力信号に基づいて、表示部１１に出力信号を出力して、表示部１１を制御するように構成されている。すなわち、制御部２は、ユーザのタッチパネル１０の操作に基づいて、表示部１１のウインドウ１１１に新たな絵４を作成するための制御を行うように構成されている。
【００２９】
ここで、第１実施形態では、制御部２は、ユーザのフリックによる第１方向（選択リスト領域１１２から選択反映領域１１３に向かう方向、Ｘ２方向）への第１フリック操作に基づいて、選択リスト領域１１２から選択反映領域１１３に絵柄パーツ５を移動させる第１制御と、ユーザのフリックによる第２方向（第１方向とは逆方向、Ｘ１方向）への第２フリック操作に基づいて、選択反映領域１１３から選択リスト領域１１２に絵柄パーツ５を移動させる第２制御と、ユーザのフリックによる第２方向（Ｘ１方向）への第３フリック操作に基づいて、選択リスト領域１１２から絵柄パーツ５を削除する第３制御と行うことにより、ウインドウ１１１上で絵柄パーツ５を組み合わせて新たな絵４を作成するように構成されている。なお、フリックとは、指１２などでタッチパネル１０に軽く触れた（タッチした）後、タッチパネル１０上を弾くように動かす動作のことをいう。また、第１フリック操作、第２フリック操作および第３フリック操作の詳細については後述する。また、第１フリック操作、第２フリック操作および第３フリック操作は、それぞれ、本発明の「第１操作」、「第２操作」および「第３操作」の一例である。
【００３０】
また、制御部２は、選択リスト領域１１２に表示された絵柄パーツ５の色彩および大きさを変更可能に構成されている。また、たとえば、図８に示すように、ユーザの指１２が草を示す絵柄パーツ５をタッチした時間が所定の時間を超えた場合、タッチされた草を示す絵柄パーツ５を自動的に拡大縮小させるとともに、色彩も切り替えられるように構成されている。また、色彩および大きさが変更された絵柄パーツ５は、ユーザによる第１フリック操作に基づく第１制御（図４参照）により、色彩および大きさが変更された状態で選択リスト領域１１２から選択反映領域１１３に移動するように構成されている。
【００３１】
記憶部３は、絵柄パーツ５などのデータを記憶するように構成されている。また、記憶部３は、上記の第３制御により、選択リスト領域１１２から削除された絵柄パーツ５も記憶するように構成されている。したがって、携帯情報端末１００は、ユーザが不要と判断して選択リスト領域１１２から削除した絵柄パーツ５を、選択リスト領域１１２に復元させることが可能なように構成されている。
【００３２】
次に、図３を参照して、描画画面１１０に表示された絵４の分解について説明する。
【００３３】
描画画面１１０には、図３に示すように、家、人間、ドア、草、太陽、雲およびポストを示す絵柄パーツ５により１つの絵４が形成されている。そして、描画画面１１０に表示された絵４の分解は、分解対象となる絵４を選択するユーザの操作に基づいて行われる。詳細には、ユーザが指１２でタッチパネル１０上の点Ｐ１に触れた（タッチした）後、絵４（絵柄パーツ５）を横切るように斜め方向（Ｘ１方向およびＹ２方向）にスライドさせる。そして、点Ｐ２でスライドを終了させる（タッチパネル１０から指１２を離す）。この操作の際、表示部１１には、スライドに基づいて、点Ｐ１および点Ｐ２を向かい合う頂点とする長方形６（一点鎖線で示す長方形６）が描画画面１１０に表示される。そして、この長方形６に囲われた領域に対応する絵柄パーツ５が絵４から分解される。また、点Ｐ２でスライドを終了すると同時に、描画画面１１０の一部にウインドウ１１１（図２参照）が表示される。そして、この長方形６に囲われて分解された絵柄パーツ５（家、人間、ドア、草、太陽、雲およびポストを示す絵柄パーツ５）が、ウインドウ１１１の選択リスト領域１１２に追加される。
【００３４】
次に、図２〜図７を参照して、ウインドウ１１１における新たな絵４の作成について説明する。
【００３５】
まず、図２、図４および図７を参照して、選択リスト領域１１２に表示されている絵柄パーツ５を選択反映領域１１３に移動させる第１フリック操作について説明する。
【００３６】
選択リスト領域１１２には、図２に示すように、家、人間、ドアおよび草を示す絵柄パーツ５が表示されている。また、太陽、雲およびポストを示す絵柄パーツ５（図７参照）は、スクロールされることにより、選択リスト領域１１２に表示される。
【００３７】
たとえば、ドアを示す絵柄パーツ５をユーザの指１２によるフリック（第１フリック操作）により、選択リスト領域１１２から選択反映領域１１３に移動させる場合には、次のような手順により行う。まず、絵柄パーツ５をタッチする。そして、選択リスト領域１１２から選択反映領域１１３に向かう方向（第１方向（Ｘ２方向））にフリックする。これにより、図４に示すように、ドアを示す絵柄パーツ５は、指１２の動きに対応して、第１方向（Ｘ２方向）に向けて弾かれるように移動する。その結果、選択反映領域１１３に移動されたドアを示す絵柄パーツ５は、絵４が分解された際に描画画面１１０に表示されていた位置に配置される。また、選択リスト領域１１２からは、選択反映領域１１３に移動されたドアを示す絵柄パーツ５が消去される。
【００３８】
この際、制御部２は、第１フリック操作に基づく第１制御により絵柄パーツ５が移動された場合には、移動されたドアを示す絵柄パーツ５が表示されていた部分を埋めるように移動されたドアを示す絵柄パーツ５（点線）とは別の絵柄パーツ５を表示する制御を行う。すなわち、選択リスト領域１１２のドアを示す絵柄パーツ５（点線）が配置されていた位置には、ドアを示す絵柄パーツ５の下方（Ｙ２方向）に配置されていた、草を示す絵柄パーツ５が移動することより配置される。同様に、草を示す絵柄パーツ５（点線）が配置されていた位置には、ウインドウ１１１に表示されていない、太陽を示す絵柄パーツ５（実線）がウインドウ１１１の下方（Ｙ２方向）から移動することより配置される。
【００３９】
次に、図５を参照して、選択反映領域１１３に表示されている絵柄パーツ５を選択リスト領域１１２に移動させる（戻す）第２フリック操作について説明する。
【００４０】
第２フリック操作は、図５に示すように、第１フリック操作とは操作方向が逆方向（第２方向（Ｘ１方向））に行う点で異なり、その他は、第１フリック操作と同様である。すなわち、第２フリック操作は、選択反映領域１１３から選択リスト領域１１２に向かう方向（第２方向（Ｘ１方向））にフリックが行われる。そして、選択リスト領域１１２から消去されていた絵柄パーツ５が、選択リスト領域１１２に再び追加される。これにより、草を示す絵柄パーツ５（点線）が配置されていた位置には、ドアを示す絵柄パーツ５（実線）が再び配置される。また、太陽を示す絵柄パーツ５（点線）が配置されていた位置には、草を示す絵柄パーツ５（実線）が再び配置される。また、選択反映領域１１３からは、選択リスト領域１１２に移動された絵柄パーツ５が消去される。
【００４１】
次に、図６を参照して、選択リスト領域１１２に表示されている絵柄パーツ５を削除する第３フリック操作について説明する。
【００４２】
たとえば、図６に示すように、草を示す絵柄パーツ５をユーザの指１２によるフリック（第３フリック操作）により、選択リスト領域１１２から削除する場合には、次のような手順により行う。まず、草を示す絵柄パーツ５をタッチする。そして、選択反映領域１１３から第２方向（Ｘ１方向）にフリックする。これにより、草を示す絵柄パーツ５（点線）は、指１２の動きに対応して、選択リスト領域１１２からウインドウ１１１の外側に向けて弾かれるように移動する。その結果、選択リスト領域１１２から草を示す絵柄パーツ５が削除される。同様に、草を示す絵柄パーツ５が配置されていた位置には、ウインドウ１１１に表示されていない、太陽を示す絵柄パーツ５（実線）がウインドウ１１１の下方（Ｙ２方向）から移動することより配置される。
【００４３】
そして、上記第１フリック操作〜第３フリック操作により、ウインドウ１１１の選択リスト領域１１２および選択反映領域１１３における絵４の作成作業が完了した場合には、ウインドウ１１１を閉じる所定の操作を行うことにより、選択反映領域１１３に作成された新たな絵４が描画画面１１０に表示される。
【００４４】
第１実施形態では、上記のように、選択リスト領域１１２から選択反映領域１１３に向く第１方向に向けて、絵柄パーツ５にユーザが触れた状態で行う単一の第１フリック操作に基づいて、選択リスト領域１１２に表示される絵柄パーツ５を、選択反映領域１１３に移動させる第１制御と、第１方向とは逆方向の第２方向に向けて、絵柄パーツ５にユーザが触れた状態で行う単一の第２フリック操作に基づいて、選択リスト領域１１２から選択反映領域１１３に移動された絵柄パーツを、再び選択リスト領域１１２に戻す第２制御とを行う制御部２を設ける。これにより、単一の操作により選択リスト領域１１２から選択反映領域１１３に絵柄パーツ５を移動させることができるので、簡単な操作により、複数の絵柄パーツ５を組み合わせることができる。その結果、容易に複数の絵柄パーツ５からなる絵４を作成することができる。また、選択リスト領域１１２に表示される絵柄パーツ５を、選択反映領域１１３に移動させるだけでなく選択反映領域１１３から選択リスト領域１１２に絵柄パーツ５を戻すこともできるので、選択リスト領域１１２と選択反映領域１１３との間で絵柄パーツ５を繰り返し移動させることができる。したがって、意図しない絵柄パーツ５を誤って選択反映領域１１３に移動させた場合であっても、絵柄パーツ５を再び選択リスト領域１１２に容易に戻すことができるので、意図しない絵柄パーツ５を誤って移動させやすい小型のタッチパネル１０を用いた場合であっても、携帯情報端末１００の操作性を向上させることができる。
【００４５】
また、第１実施形態では、上記のように、制御部２を、選択リスト領域１１２に表示された絵柄パーツ５にユーザが触れた状態で第２方向に向けて行う単一の第３操作に基づいて、選択リスト領域１１２に表示される絵柄パーツ５を、選択リスト領域１１２から削除する第３制御を行うように構成する。これにより、ユーザが必要としない絵柄パーツ５を単一の第３フリック操作により選択リスト領域１１２から容易に削除することができるとともに、ユーザが必要とする絵柄パーツ５のみを選択リスト領域１１２に表示することができる。
【００４６】
また、第１実施形態では、上記のように、制御部２を、第１制御により絵柄パーツ５が移動された場合には、移動された絵柄パーツ５が表示されていた部分を埋めるように移動された絵柄パーツ５とは別の絵柄パーツ５を表示する制御を行うように構成する。これにより、移動された絵柄パーツ５が表示されていた部分が空いた状態となることがないので、絵柄パーツ５が表示される限られた領域を有効に利用して、ユーザに多くの絵柄パーツ５を提示することができる。
【００４７】
また、第１実施形態では、上記のように、第１フリック操作および第２フリック操作を、フリック動作により行われるように構成する。これにより、ユーザは、タッチパネル１０に対する直感的かつ簡単な動作により第１操作および第２操作を行うことができる。
【００４８】
また、第１実施形態では、上記のように、第３フリック操作を、フリック動作により行われるように構成する。これにより、ユーザは、タッチパネル１０に対する直感的かつ簡単な動作により第３操作を行うことができる。
【００４９】
また、第１実施形態では、上記のように、選択リスト領域１１２を、自動的にスクロールされるように構成する。これにより、ユーザがスクロール操作をしなくても、表示部１１に表示されない選択リスト領域１１２の一部の絵柄パーツ５を参照することができるので、携帯情報端末１００の操作性をより向上させることができる。
【００５０】
また、第１実施形態では、上記のように、選択リスト領域１１２に表示された絵柄パーツ５の色彩および大きさを変更可能に構成し、色彩および大きさが変更された絵柄パーツ５を、ユーザによる第１操作に基づいて、色彩および大きさが変更された状態で選択リスト領域１１２から選択反映領域１１３に移動されるように構成する。これにより、選択リスト領域１１２の絵柄パーツ５に色彩および大きさの変更を加えて、選択反映領域１１３において組み合わせることができるので、選択反映領域１１３で組み合される絵４の色彩および大きさを、絵柄パーツ５単位で変更させることができる。
【００５１】
また、第１実施形態では、上記のように、複数の絵柄パーツ５からなる絵４を絵柄パーツ５ごとに分解して、分解した複数の絵柄パーツ５を選択リスト領域１１２に追加することが可能に構成されている。これにより、絵４の中でユーザが不要と判断する絵柄パーツ５を削除することができるとともに、選択リスト領域において、絵４の構成要素である絵柄パーツ５単位で色彩や大きさを変更させて、選択反映領域１１３に移動させることにより、形態が変化した絵４を作成することができるので、絵４をユーザが望む形態に容易に変更させることができる。
【００５２】
（第２実施形態）
次に、図９および図１０を参照して、第２実施形態について説明する。
【００５３】
この第２実施形態では、選択リスト領域１１２の絵柄パーツ５を、選択反映領域１１３で組み合わせることにより、絵４を作成するように構成した上記第１実施形態とは異なり、選択リスト領域２１２の文字２０５を、選択反映領域２１３で組み合わせることなどにより、文章２０４を作成するように構成した携帯情報端末１００について説明する。
【００５４】
本発明の第２実施形態による携帯情報端末１００は、文章２０４を作成するためのアプリケーションを用いて、文章２０４を作成可能に構成されている。
【００５５】
携帯情報端末１００の表示部１１は、図９に示すように、アプリケーションを起動すると、文章２０４を作成するための所定の文章入力画面２１０を表示部１１の全域に表示するように構成されている。この文章入力画面２１０は、文章２０４を作成していく選択反映領域２１３と、選択反映領域２１３に文字入力を行うためのソフトウェアキーボード２１４と、選択反映領域２１３に入力された文字の後に続きそうな文字２０５を予測して表示する選択リスト領域２１２とから構成されている。なお、文字２０５の予測は、ユーザの入力内容履歴などを手掛かりとして行われる。また、表示部１１は、選択反映領域２１３を文章入力画面２１０のＹ１方向側に表示し、ソフトウェアキーボードを文章入力画面２１０のＹ２方向側に表示するとともに、選択リスト領域２１２を選択反映領域２１３とソフトウェアキーボード２１４との間に表示するように構成されている。なお、文章入力画面２１０は、本発明の「入力画面」の一例である。また、文章は、本発明の「選択項目集合体」および「所定の対象物」の一例である。また、文字２０５は、本発明の「選択項目」の一例である。
【００５６】
次に、図９を参照して、選択リスト領域２１２に表示されている文字２０５を選択反映領域２１３に移動させる第１フリック操作について説明する。
【００５７】
選択反映領域２１３には、図９に示すように、ソフトウェアキーボード２１４により入力された文字の「こんにちは」が表示されている。また、選択リスト領域２１２には、文字の「こんにちは」により予測された「今日」、「明日」および「おはよう」を示す文字２０５が表示されている。
【００５８】
たとえば、「今日」を示す文字２０５をユーザの指１２によるフリック（第１フリック操作）により、選択リスト領域２１２から選択反映領域２１３に移動させる場合には、次のような手順により行う。まず、「今日」を示す文字２０５をタッチする。そして、選択リスト領域２１２から選択反映領域２１３に向かう方向（第１方向（Ｙ１方向））にフリックする。これにより、「今日」を示す文字２０５は、指１２の動きに対応して、第１方向に向けて弾かれるように移動する。また、選択リスト領域２１２からは、選択反映領域２１３に移動された「今日」を示す文字２０５が消去される。なお、文章２０４の文字２０５の間にユーザの指１２が移動するような第１フリック操作が行われた際には、文字２０５の間に移動された文字２０５が挿入される。
【００５９】
次に、選択反映領域２１３に表示されている文字２０５を選択リスト領域２１２に移動させる第２フリック操作について説明する。
【００６０】
第２フリック操作は、第１フリック操作とは操作方向が逆方向（第２方向）である点で異なり、その他は、第１フリック操作と同様である。すなわち、第２フリック操作は、選択反映領域２１３から選択リスト領域２１２に向かう方向（Ｙ２方向）にフリックが行われる。そして、選択リスト領域２１２から消去されていた文字２０５が、選択リスト領域２１２に再び追加されるとともに、文章２０４から移動された文字２０５を埋めるように文章２０４が詰められる。これらにより、第２フリック操作によって文字２０４から選択リスト領域２１２に戻った文字２０５を、文章２０４内の異なる位置に第１フリック操作によって移動させることによって、文字２０５の文章２０４内での配置変更が可能である。
【００６１】
次に、図１０を参照して、選択リスト領域２１２に表示されている文字２０５を削除する第３フリック操作について説明する。
【００６２】
たとえば、図１０に示すように、「今日」を示す文字２０５をユーザの指１２によるフリック（第３フリック操作）により、選択リスト領域２１２から削除する場合には、次のような手順により行う。まず、「今日」を示す文字２０５をタッチする。そして、第２方向（Ｙ２方向）にフリックする。これにより、「今日」を示す文字２０５は、指１２の動きに対応して、選択リスト領域２１２から文章入力画面２１０の外側に向けて弾かれるように移動する。その結果、選択リスト領域２１２から「今日」を示す文字２０５が削除される。そして、「今日」を示す絵柄パーツ５が配置されていた位置には、「明日」を示す文字がＸ２方向に移動することより配置される。
【００６３】
第２実施形態では、上記のように、選択リスト領域２１２から選択反映領域２１３に向く第１方向に向けて、文字２０５にユーザが触れた状態で行う単一の第１フリック操作に基づいて、選択リスト領域２１２に表示される文字２０５を、選択反映領域２１３に移動させる第１制御と、第１方向とは逆方向の第２方向に向けて、文字２０５にユーザが触れた状態で行う単一の第２フリック操作に基づいて、選択リスト領域２１２から選択反映領域２１３に移動された文字２０５を、再び選択リスト領域２１２に戻す第２制御とを行う制御部２を設ける。これにより、簡単な操作により、複数の文字２０５を組み合わせることができる。その結果、容易に複数の文字２０５からなる文章２０４を作成することができる。
【００６４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６５】
たとえば、上記第１および第２実施形態では、選択リスト領域と選択反映領域との間でフリック動作により絵柄パーツおよび文字を移動させる例について示したが、本発明はこれに限られない。本発明では、スワイプ動作またはドラッグ動作により移動してもよい。なお、スワイプとは、タッチパネル上をタッチした（触れた）状態で指を一定方向にスライドさせる操作である。また、ドラッグとは、タッチパネルをタッチした（触れた）状態のまま指を任意の方向に移動させる操作である。
【００６６】
また、上記第１実施形態では、絵柄パーツの集合体である絵を分解することにより、新たな絵を作成する例について示したが、本発明はこれに限られない。本発明では、絵を分解することなく、所定の絵柄パーツから絵を作成するように構成してもよい。
【００６７】
また、上記第１実施形態では、絵柄パーツの色彩および大きさを変更可能に構成する例について示したが、本発明はこれに限られない。本発明では、色彩および大きさに加えて、選択反映領域における絵柄パーツの位置を変更可能に構成してもよい。
【００６８】
また、上記第１実施形態では、選択リスト領域および選択反映領域とから構成されるウインドウを、描画画面の一部に表示するように構成する例を示したが、本発明はこれに限られない。本発明では、描画画面の全域にウインドウを表示してもよい。この際、絵が表示されていた描画画面は、ウインドウと重なるため半透明に表示される。
【００６９】
また、上記第１実施形態では、選択リスト領域が自動的にスクロールされるように構成する例について示したが、本発明はこれに限られない。本発明では、選択リスト領域が自動的にスクロールされることはなく、所定時間ごとに選択リスト領域に表示される絵柄パーツまたは文字が一括して切り替わるように構成してもよい。
【符号の説明】
【００７０】
２  制御部
４  絵（選択項目集合体）
５  絵柄パーツ(選択項目）
１０  タッチパネル
１００  携帯情報端末
１１０  描画画面（入力画面）
１１２、２１２  選択リスト領域
１１３、２１３  選択反映領域
２０４  文章（選択項目集合体）
２０５  文字（選択項目）
２１０  文章入力画面（入力画面）
【図１】
2015011681.tif 000003
【図２】
2015011681.tif 000004
【図３】
2015011681.tif 000005
【図４】
2015011681.tif 000006
【図５】
2015011681.tif 000007
【図６】
2015011681.tif 000008
【図７】
2015011681.tif 000009
【図８】
2015011681.tif 000010
【図９】
2015011681.tif 000011
【図１０】
2015011681.tif 000012